(57)【特許請求の範囲】
【請求項１】
第１のビデオデータを入力するビデオデータ入力手段と、前記第１のビデオデータから前記第１のビデオデータに基づいて表示される画像の一部を拡大表示するための第２のビデオデータを生成するビデオデータ生成手段と、前記第１のビデオデータ及び前記第２のビデオデータをビデオ信号に変換して表示手段に出力する変換出力手段とを有するビデオ表示装置において、
各々が前記第１のビデオデータに基づいて表示される画像の一部領域と対応している複数の拡大表示位置指定キーとを設け、前記拡大表示位置指定キーによる指示に基づいて、前記拡大表示位置指定キーに対応した画像を拡大表示するための第２のビデオデータをビデオ信号に変換して表示手段に出力し、再度の同一の拡大表示位置指定キーによる指示により拡大倍率を変更し、前記拡大表示位置指定キーは、前記画像の一部領域を視覚的に連想できるように３行３列に配置されていることを特徴とするビデオ表示装置。
【請求項２】
請求項１記載のビデオ表示装置において、
前記拡大表示された領域が元の画像の水平方向および垂直方向のそれぞれどの領域のものであるかを示すカーソル表示をするグラフィツクデータを格納するメモリを有し、前記ビデオデータ生成手段は、前記メモリから前記グラフィツクデータを読み出して前記第２のビデオデータと合成することを特徴とするビデオ表示装置。
【請求項３】
請求項１ないし２のいずれかに記載のビデオ表示装置において、
前記複数の拡大表示位置指定キーは、画像表示中以外は前記拡大表示位置の指定以外の用途にも用いられ、且つ画像表示中であっても他のキーを操作したあとは拡大表示位置の指定以外の用途にも用いるテンキーであつて、１から９のキーが３行３列に配置されていることを特徴とするビデオ表示装置。
【請求項４】
第１のビデオデータを入力するビデオデータ入力手段と、前記第１のビデオデータから前記第１のビデオデータに基づいて表示される画像の一部を拡大表示するための第２のビデオデータを生成するビデオデータ生成手段と、前記第１のビデオデータ及び前記第２のビデオデータをビデオ信号に変換して表示手段に出力する変換出力手段とを有するビデオ表示装置において、
各々が前記第１のビデオデータに基づいて表示される画像の一部領域と対応している複数の拡大表示位置指定キーと、前記画像の拡大表示の開始及び解除並びに倍率の変更を行うズームキーを設け、前記ズームキーの指示に基づいて、前記画像を拡大表示するための第２のビデオデータをビデオ信号に変換して表示手段に出力した後、前記拡大表示位置指定キーによる指示に基づいて、前記拡大表示位置指定キーに対応した画像を拡大表示するための第２のビデオデータをビデオ信号に変換して表示手段に出力し、前記拡大表示位置指定キーは、前記画像の一部領域を視覚的に連想できるように３行３列に配置されていることを特徴とするビデオ表示装置。
【発明の詳細な説明】
【０００１】
【発明の属する技術分野】
本発明は、ＤＶＤプレーヤ等のビデオ表示装置に係り、特に、ズーム拡大機能（拡大表示機能）に特徴を有するビデオ表示装置に関するものである。
【０００２】
【従来の技術】
近年、音楽、映画等の様々な種類の情報をディジタルで記録した光ディスクを再生するＤＶＤプレーヤが開発された。このＤＶＤプレーヤに対する利用者の要求が多様化しており、多機能化が望まれている。
この多機能化の一つにズーム拡大機能がある。ここで、従来のＤＶＤプレーヤにおけるズーム拡大機能を説明する。
【０００３】
従来のズーム拡大機能を図２、７を参照して説明する。図２は、ＤＶＤプレーヤにおけるリモコンの表面図、図７は、従来のＤＶＤプレーヤにおけるズーム拡大機能説明図である。図２に示されるリモコンＲにおいて、まず、左下部にあるズームボタンを押すと、画面中央部を一定の倍率、例えば２倍に拡大してみることができる。
【０００４】
次ぎに、リモコンＲの下部にあるＥＮＴＥＲボタンの周囲にあるカーソルキー「Ｕｐ」、「Ｄｏｗｎ」、「Ｌｅｆｔ」、「Ｒｉｇｈｔ」により場所を小きざみに移動し、見たい部分の人物像等を拡大して詳細に見ることができるようになっていた。
【０００５】
【発明が解決しようとする課題】
しかし、従来の前記ＤＶＤプレーヤ等のビデオ表示装置におけるズーム拡大機能は、カーソルキーによる見たい部分の選択と移動に時間がかかり、使用者の負担が大きかった。また、拡大されているズーム画面が、全画面でどの位置の画面部分であるか不明であるという問題点があった。
【０００６】
本発明は、かかる従来の問題点を解決するためになされたもので、見たい拡大表示部分の選択が簡単に行えるＤＶＤプレーヤ等のビデオ表示装置を提供することを目的とする。好ましくは、拡大されているズーム画面の画面上での位置が明確になるようにする。
【０００７】
【課題を解決するための手段】
上記目的を達成するため、本発明に係るビデオ表示装置を次のとおりにする。第１のビデオデータを入力するビデオデータ入力手段と、前記第１のビデオデータから前記第１のビデオデータに基づいて表示される画像の一部を拡大表示するための第２のビデオデータを生成するビデオデータ生成手段と、前記第１のビデオデータ及び前記第２のビデオデータをビデオ信号に変換して表示手段に出力する変換出力手段とを有するビデオ表示装置において、前記拡大表示位置指定キーによる指示に基づいて、前記拡大表示位置指定キーに対応した画像を拡大表示するための第２のビデオデータをビデオ信号に変換して表示手段に出力し、再度の同一拡大表示位置指定キーによる指示により拡大倍率を変更し、前記拡大表示位置指定キーは、前記画像の一部領域を視覚的に連想できるように３行３列に配置されていることを特徴とするビデオ表示装置。
また、第１のビデオデータを入力するビデオデータ入力手段と、前記第１のビデオデータから前記第１のビデオデータに基づいて表示される画像の一部を拡大表示するための第２のビデオデータを生成するビデオデータ生成手段と、前記第１のビデオデータ及び前記第２のビデオデータをビデオ信号に変換して表示手段に出力する変換出力手段とを有するビデオ表示装置において、各々が前記第１のビデオデータに基づいて表示される画像の一部領域と対応している複数の拡大表示位置指定キーと、前記画像の拡大表示の開始及び解除並びに倍率の変更を行うズームキーを設け、前記ズームキーの指示に基づいて、前記画像を拡大表示するための第２のビデオデータをビデオ信号に変換して表示手段に出力した後、前記拡大表示位置指定キーによる指示に基づいて、前記拡大表示位置指定キーに対応した画像を拡大表示するための第２のビデオデータをビデオ信号に変換して表示手段に出力し、前記拡大表示位置指定キーは、前記画像の一部領域を視覚的に連想できるように３行３列に配置されていることを特徴とするビデオ表示装置。
【０００８】
【発明の実施の形態】
本発明の一実施の形態に係るビデオ表示装置を説明する。本実施の形態においては、ビデオ表示装置の代表的例であるＤＶＤプレーヤを図１ないし図６を参照して説明する。
【０００９】
本実施形態の特徴の概略は、ビデオデータ表示装置において、前記ビデオデータをリモコンのズーム位置指定キーに応じて複数のエリアに分割し、該リモコンのズーム位置指定キーを操作して、該ズーム位置指定キーに応ずる前記分割エリア画面を所望の倍率にズームし、且つカーソルで該ズームされた画面の全画面上の位置と前記倍率を表示させるようにし、前記倍率としては、予め複数種類の倍率を該装置のシステムプログラム内に設定しておき、ズームキーを押す度に、順次倍率が切り替わり、最後にはズーム解除するようにしたものである。
【００１０】
図１は、本発明の一実施の形態に係るＤＶＤプレーヤのブロック図、図２は、図１のＤＶＤプレーヤのリモコンの正面拡大図、図３は、図１のＤＶＤプレーヤにおけるズーム画面説明図、図４は、図１のＤＶＤプレーヤにおけるズーム動作の一実施形態のフロチャート、図５は、図１のＤＶＤプレーヤにおけるズーム動作の他の実施形態のフロチャート、図６は、図１のＤＶＤプレーヤにおけるズーム動作のさらに他の実施形態のフロチャートである。
【００１１】
〔実施の形態  １〕まず、図１を参照して、本発明の一実施の形態に係るＤＶＤプレーヤの構成の概略を説明する。
【００１２】
本実施形態に係るＤＶＤプレーヤは、ＴＶモニタヘ出力する画像の特定部分を所望の倍率にズームアップする機能に特徴があるものである。
【００１３】
図１において、Ｄは、ＤＶＤプレーヤ本体、Ｒは、表面に設けられたズームキーとテレビモニタ画面上の複数の部分領域を視覚的に連想するように規則的に３行３列に配置されたテンキー動作に応じた各種の指示信号を出力するリモコン、１は、高密度光ディスク、２は、ディスクを回転させるディスクモータ、３ａは、高密度光ディスクに記録されている信号をピックアップし出力する光ピックアップ部、３ｂは、光ピックアップの出力信号をデジタルデータに変換する信号処理部と、デジタルデータをビデオデータにデコードするビデオデコード部、４は、リモコンからの入力信号に応じて、ディスクモータ，光ピックアップ，信号処理部／デコーダ部を制御してビデオデータ加工部（後述）に送りＤＶＤプレーヤ全体を統括制御するＣＰＵ部、５は、リモコンのテンキー動作により、対応する画面の所定部分を所定の倍率にズームアップするズーム機能を内蔵するビテオデータ加工部、６は、ビテオデータ等をＴＶ映像信号に変換し出力するビテオエンコーダ部（以下、変換出力部という）、７は、ＤＶＤプレーヤ本体に設けられたリモコンＲと同一仕様と機能を持つズームキーとテンキーを有するコンローラ、８は、オンスクリーン表示のためのグラフィックデータをメモリしているメモリ部、９は、キー動作に応じたリモコンからの信号を受信する受信デバイスである。これらの各部によりＤＶＤプレーヤが構成されている。なお、１０は、ＴＶモニタである。
【００１４】
上記図１に示される構成のＤＶＤプレーヤの動作は、ＣＰＵ部４がシステムプログラムによりディスクモータ２、光ピックアップ部３ａ、信号処理部／デコーダ部３ｂを制御するが、従来の公知技術と同様であり、再度の詳細な説明は煩瑣となるので省略し、本発明の特徴部分であるズーム動作の機能を図４のフロチャート図を参照して説明する。なお、本説明においては、説明を簡単にするため、ＤＶＤプレーヤ本体に設けられたコンローラを用いず、リモコンＲで操作させることにする。
【００１５】
図４のフロチャートにおいて、スタートさせるため、リモコンＲの電源キー（図２に図示せず）を押し、ＯＮする。
【００１６】
次に、ステップＳ1において、再生キーを押し、再生動作をスタートさせ、再生状態にする。
【００１７】
次に、ステップＳ2において、ＣＰＵ部４は、リモコンＲからの再生指示信号を受信デバイス９を介して入力すると、ディスクモータ２および光ピックアップ３ａならびに信号処理部／デコーダ部３ｂを制御してビデオデータの読み取りを開始する。
【００１８】
読み取られたビデオデータは、ビデオデータ加工部５へ転送される。転送されたビデオデータは、変換出力部６でアナログ信号に変換され出力されて、ＴＶモニター１０に供給されて、映像が通常の画面表示となる。
【００１９】
前記説明は、ビデオデータについて説明したが、詳細な図示と説明を省略したが、音声についてはオーディオデコーダ、Ｄ／Ａコンバータを経て音声出力となる。なお、この時点では、画面の上、下、左、右のいずれにも、表示されている画面の位置等を示すカーソルは表示されていない。
【００２０】
また、図２のリモコンＲは、表面にズームキーを設ける共に、テンキー１ないし９を三行三列に配置し、該三行三列のテンキー配置と視覚的な連想を伴うように画面を複数のエリアに分割し、テンキー動作に応じた各種の指示信号に応じて画面を前記ＣＰＵ４が、当該テンキー１ないし９と分割画面との前記対応を記憶している。図３分図（ａ）は２倍にズームする場合、図３分図（ｄ）は、３倍にズームする場合における前記画面の分割状態を示している。
【００２１】
次に、ステップＳ3において、図２に示されるリモコンＲの左下に配設されているズームキーを押す。
【００２２】
ステップＳ4において、ビデオデータ加工部５に内蔵されているズーム機能を動作せしめ、通常画面の中央部画像に関し、上下，左右の長さが約２倍（面積では約４倍）となるビデオデータを生成する。
【００２３】
同時に、ＣＰＵ部４がカーソル表示の指示を出力して、ビデオ加工部５が、メモリ８から前記ＣＰＵ部４の指示に符号するカーソルグラフィツクデータを読み出し、当該カーソルグラフィツクデータは、ビデオデータ加工部５に送られ、前記生成したビデオデータと合成される。
【００２４】
上記ステップＳ4において、該合成ビデオデータは、図３分図（ｂ）に示す如く、通常画面の中央部画像５は、上下，左右の長さが約２倍（面積では約４倍）となり表示される。そして、図示する如く、透明なカーソルＣ1が下端部に表示され、中央部半分が影部分となり、透明なカーソルＣ2が右端部に表示され、中央部半分が影部分となり、ズーム画像の位置と倍率を示している。
【００２５】
ステップＳ5において、再度、ズームキーを押すことにより、ステップＳ6において、再度押すことにより図３分図（ｄ）に示す通常画面の中央部画像１５が、図３分図（ｅ）に示す如く、上下，左右の長さを約３倍（面積では約９倍）となり表示される。
【００２６】
そして、図示する如く、透明なカーソルＣ1が下端部に表示され、中央部の１／３が影部分となり、透明なカーソルＣ2が右端部に表示され、中央部の１／３が影部分となり、ズーム画像の位置と倍率を示している。
【００２７】
なお、上記の如く、画面の中央部画像５が、上下，左右の長さを約３倍に表示することに、ＮＯである場合は、ステップＳ61で再々度ズームキーを押すことにより、ズーム解除となり、ステップＳ2に戻ることになる。
【００２８】
次ぎに、ステップＳ7において、ズーム位置指定キー、本実施形態では、テンキー１ないし９（以下、キー・・という）のいずれかを押す。キーからの信号を受信したＣＰＵ部４は、図３分図（ａ）に示す如く、キー１からの信号は上段左欄１、キー２からの信号は上段中欄２、キー３からの信号は上段右欄３、キー４からの信号は中段左欄４、キー５からの信号は中段中欄５、キー６からの信号は中段右欄６、キー７からの信号は下段左欄７、キー８からの信号は下段中欄８、キー９からの信号は下段右欄９のそれぞれの画面の辺長上の１／２の大きさの画面を認識する。
【００２９】
さらに、同様に、再度ズームキーが押されたのちのキーからの信号を受信したＣＰＵ部４は、図３分図（ｄ）に示す如く、キー１からの信号は上段左欄１１、キー２からの信号は上段中欄１２、キー３からの信号は上段右欄１３、キー４からの信号は中段左欄１４、キー５からの信号は中段中欄１５、キー６からの信号は中段右欄１６、キー７からの信号は下段左欄１７、キー８からの信号は下段中欄１８、キー９からの信号は下段右欄１９のそれぞれの画面の辺長上の１／３の大きさの画面を認識する。
【００３０】
図３分図（ａ）ではそれぞれ隣接している分割画面が相互にラップしている。図３分図（ｂ）では、説明を簡単にするため、キー１と、それに対応する分割した画面が示されている。
【００３１】
いま、ステップＳ4における図３分図（ｂ）に示される前記中央部５のズーム画像が表示されている画面において、ステップＳ7でキー１を押すと、前記ＣＰＵ部４がビデオ加工部５のズーム機能を動作させ、ビデオ加工部５でメモリ８から上段左側辺長１／２に対応するカーソルグラフィツクデータを読み込ませ、前記の如く合成ビデオデータを作成する。
【００３２】
ステップＳ8において、上段左欄画像の拡大する図３分図（ｃ）に示すようなズーム画像を表示する。透明なカーソルＣ1が下端部に表示され、左部半分が影部分となり、透明なカーソルＣ2が右端部に表示され、上部半分が影部分となり、ズーム画像の位置と倍率が示されている。
【００３３】
さらに、次ぎに、三倍のズーム画面について説明する。
【００３４】
前記の如く、ズームキーをもう一回押したのち、前記中央部１５の三倍のズーム画像が表示されている画面において、ステップＳ7でキー１を押すと、図３分図（ｆ）に示す如く、９分割した各画面の内、当該キー１に対応する画面を辺長３倍にズームアップする。
【００３５】
さらに、ステップＳ9において、ズームアップされている画像領域をカーソルの位置を確認し、操作を誤り希望するズーム画像と異なる位置の画像が表示されている場合、ステップＳ7に戻り、キー操作をやり直す。なお、１〜９キーで選択したズーム対象領域を、図２の下部に示される（ＥＮＴＥＲ）および（Ｌｅｆｔ）（Ｕｐ），（Ｒｉｇｈｔ），（Ｄｏｗｎ）からなるカーソルキーで小きざみに移動させることも可能である。
【００３６】
次ぎに、ステップＳ１０において、表示画面が、２倍ズームもしくは３倍ズーム画像が表示されている画面を変更する場合、ステップＳ１０１の３倍ズーム画像の表示画面では、次ぎのステップＳ１０５でズームキーを押して、ズーム解除し、ステップＳ２へ戻る。ステップＳ１０２の２倍ズーム画像の表示画面では、ステップＳ１０３でズームキーを押し、次ぎのステップＳ１０４においては、ステップＳ６の３倍ズーム画像の表示画面として、以後はステップＳ７、ステップＳ８、ステップＳ９・・・の手順を追って行くことになる。
【００３７】
ステップＳ１０４で３倍ズーム画像の表示画面を変更したい場合は、前述のステップＳ１０５へ進み、ズーム解除し、ステップＳ２へ戻る。
【００３８】
上記において、そのままでよい場合は、ステップＳ１１１において、連続表示させる。連続表示中に、ズーム領域表示を変更したい場合は、ステップＳ７に戻り、キー１ないしキー９にズーム位置を再度指定する。
【００３９】
〔実施の形態  ２〕本発明の他の一実施の形態に係るＤＶＤプレーヤの構成の概略を説明する。
【００４０】
〔実施の形態  ２〕は、図１ないし図４で説明した〔実施の形態  １〕と共通する部分が多いので、図５のフロチャートを参照して、相違部分を中心に説明する。
【００４１】
図５に示すフロチャートにおいて、スタート電源ＯＮ、ステップＳ11、ステップＳ12、ステップＳ13は、図４示すフロチャートにおいて、〔実施の形態  １〕のスタート電源ＯＮ、ステップＳ1、ステップＳ2、ステップＳ3と同様である。
【００４２】
本〔実施の形態  ２〕では、ステップＳ13でリモコンＲのズームキを押すと、ＣＰＵ部は、ステップＳ31で二倍のスタンバイモードとなり、こののちに押されるキー１〜９をズーム機能専用キーとして認識する。
【００４３】
ズームスタンバイモードに入ったことを使用者にわからせるために、ビデオデータ加工部６がメモリ部８からフルスケールのカーソルグラフィツクデータを読みだし、該フルサイズのカーソル表示がなされる。また、このとき何倍のズームにアップするかわからせるため、「２倍ズームスタンバイ」等の文字情報を表示する。
【００４４】
次ぎに、二倍のスタンバイモードを変更したいときは、ステップＳ32で再度リモコンＲのズームキーを押すと、ＣＰＵ部は、ステップＳ31で三倍のスタンバイモードとなり、こののちに押されるキー１〜９をズーム機能専用キーとして認識し、前記二倍の場合と同様の状態となり、「３倍ズームスタンバイ」等の文字情報を表示する。
【００４５】
前記三倍のスタンバイモードを解消するためには、ステップＳ34でズームキーを再々度押すと、前記スタンバイは解除され、ステップＳ12へ戻る。
【００４６】
ステップＳ15において、画面の下端および右端のフルサイズのカーソルＣ1、Ｃ2と全体画像からズームアップしたい画像部分を選択し、キー１ないしキー９のいずれかを選択して押す。キー１ないしキー９と画像部分との対応は、〔実施の形態  １〕と同様である。
【００４７】
以後のステップＳ17ないしステップＳ19は、〔実施の形態  １〕のステップＳ7ないしステップＳ１１１までと同様である。また、ステップＳ81からステップＳ85とステップＳ101からステップＳ105は、同一である。
【００４８】
本〔実施の形態  ２〕は、〔実施の形態  １〕に比べ、全体の動画を見ながらズームアップしたいその瞬間に、見たい領域をキー１ないしキー９のワンアクションで選択することができ、便利である。
【００４９】
〔実施の形態  ３〕本発明のさらに他の一実施の形態に係るＤＶＤプレーヤの構成の概略を説明する。〔実施の形態  ３〕も、図１ないし図４で説明した〔実施の形態  １〕と共通する部分が多いので、図６のフロチャートを参照して、相違部分を中心に説明する。
【００５０】
図６に示すフロチャートにおいて、スタート電源ＯＮ、ステップＳ21、ステップＳ22は、図４示すフロチャートにおいて、〔実施の形態  １〕のスタート電源ＯＮ、ステップＳ1、ステップＳ2と同様である。
【００５１】
本〔実施の形態  ３〕は、ズームキーを用いず、Ｓ23において、全体画像からズームアップしたい画像部分を選択し、直ちにキー１ないしキー９のいずれかをえらんで押して、Ｓ24において、ビデオデータ加工部５のズーム機能を動作させる。キー１ないしキー９と画像部分との対応は、〔実施の形態  １〕と同様である。以後のステップＳ25ないしステップＳ26までは、〔実施の形態  １〕のステップＳ7ないしステップＳ9までの二倍ズーム表示の場合とほぼ同様である。
【００５２】
次ぎに、ステップＳ27において、二倍ズーム表示を確認し、そのままステップＳ30において連続表示する。
【００５３】
二倍ズーム表示を変更したい場合は、ステップＳ28でカーソルがズーム表示している領域に対応するテンキー再度押す。ステップＳ29で三倍ズームとなる。差し支えなければ、連続表示する。倍率変更、ズーム領域変更、ズーム解除は、ズームキーの代わりに、同一のテンキーを用いて同一の手順で行われるので、再度の説明を省略する。
【００５４】
本〔実施の形態  ３〕は、〔実施の形態  １〕、〔実施の形態  ２〕に比べ、ズームキーを用いず、速くズーム画像を表示することができる。
【００５５】
しかしながら、通常の再生動作中は、ダイレクトに押すテンキーをズーム機能以外に用いることができないという制約がある。例えば、チャプター選択の方法として、〔５〕〔ＥＮＴＥＲ〕でチャプター５へ移るというステップは用いることができない。他のチャプター選択モードにしてからテンキーを押すこととなる。具体的な場合には〔ＣＨＡＰＴＥＲ〕キーを設け、〔ＣＨＡＰＴＥＲ〕、〔５〕、〔ＥＮＴＥＲ〕と押すことにより容易に実現し得る。
【００５６】
また、上記各実施形態では、リモコンＲの各キーを操作した場合を説明したが、ＤＶＤプレーヤ本体の同一機能のコントロールキー７を用いてもよく、また両者のズームキーおよびテンキーを交互に用いたり、両者のズームキーおよびテンキーを自由に選択して用いても、同様の機能を発揮させることができる。
【００５７】
また、上記の実施形態は、一例示にすぎず、多くの変形例が考えられ、予め設定するシステムプログラムにより、倍率およびズーム拡大の手順を自由に変えられる。
【００５８】
〔実施の形態  ４〕最後に、〔実施の形態  １〕〔実施の形態  ２〕あるいは〔実施の形態  ３〕において、あるズーム領域のズーム画像を表示しているときに別のズーム領域のズーム画像を表示させるときの変更手順の一例について説明する。
【００５９】
上述のとおり、ズーム領域を変更する場合には、ズーム位置指定キーたるカーソルキーあるいはテンキーを用いて所望のズーム領域を指示することによって所望のズーム領域のデータを読み込み、加工して２倍あるいは３倍のズーム画像を表示する。
【００６０】
本〔実施の形態  ４〕では、ズーム領域を変更する場合には、直接所望のズーム画像を表示するのではなく、変更指示される前の領域と変更指示された領域とを結ぶ領域のズーム画像を表示してから所望のズーム画像を表示するように構成する。
【００６１】
このことを図３（ｄ）、図４、図５及び図６を参照して説明すれば、以下のとおりである。ここでは一例として、３倍ズーム時に図３（ｄ）における画面１１のズーム領域のズーム画像を表示しているときに変更指示を受けて画面１９のズーム領域へとズーム領域のズーム画像を変更して表示する場合について説明する。
【００６２】
〔実施の形態  １〕〔実施の形態  ２〕あるいは〔実施の形態  ３〕では、図４のＳ１１１、図５のＳ１９あるいは図６のＳ３０で画面１１のズーム領域のズーム画像を表示しているときに画面１９のズーム領域のズーム画像を表示するように指示があったとき（図４のＳ７、図５のＳ１５あるいは図６のＳ２３）には、単に画面１９のズーム領域のデータを読み込み、加工して、ズーム画像を表示する（図４のＳ８、図５のＳ１６あるいは図６のＳ２５）。
【００６３】
これに対し、本〔実施の形態  ４〕では、画面１９のズーム領域のデータを読み込み、加工して、ズーム画像を表示するステップ（図４のＳ８、図５のＳ１６あるいは図６のＳ２５）の前に、別のステップを追加する。この別ステップでは、変更指示される前の画面（画面１１）の位置と変更指示された画面（画面１９）の位置との関係から変更過程で表示するに好ましい画面、すなわち画面１１と画面１９とを結ぶ画面の位置（画面１５）を算出して、この画面のズーム画像を表示するように構成する。なお、変更過程で表示するに好ましい画面の位置の算出はＣＰＵ４で算出するようにし、ズーム画像についてはデータ加工部５で生成するようにすればよい。また、変更指示される前の画面及び変更指示された画面とこれらを結ぶ画面との対応関係をテーブルとして予めＣＰＵ４が有していてもよい。
【００６４】
これらの画面の対応関係を図８に示す。本図から明らかなように、例えば画面１１から画面１３にズーム領域を変更する場合には、画面１２のズーム画像を表示してから画面１３のズーム画像を表示すればよいし、画面１１から画面１７にズーム領域を変更する場合には、画面１４のズーム画像を表示してから画面１７のズーム画像を表示すればよい。
【００６５】
また、ズーム領域をより細分化したときの画面の対応関係を図９に示す。画面９１から画面９１２にズーム領域を変更する場合には、画面９１の位置と画面９１２の位置とを結ぶ線の近傍に位置する画面９２、画面９５あるいは画面９６のズーム画像を表示してから画面９１２のズーム画像を表示すればよい。ズーム領域の一部が図３（ａ）のように互いに重なっている場合であっても、考え方は同じである。
【００６６】
本〔実施形態  ４〕によれば、ズーム領域を変更するときに直接変更先のズーム画像を表示するのではなく、変更過程のズーム画像を表示してから変更先のズーム画像を表示するので、使用者が自然に目線を移す感覚でズーム領域を変更でき、使用者に違和感や戸惑いを感じさせることのないズーム機能を提供することができる。
【００６７】
最後に、あるズーム領域のズーム画像を表示しているときに別のズーム領域のズーム画像を表示させるときの変更手順のもう一つの一例について説明する。ここでも一例として、３倍ズーム時に図３（ｄ）における画面１１のズーム領域のズーム画像を表示しているときに変更指示を受けて画面１９のズーム領域へとズーム領域のズーム画像を変更して表示する場合について説明する。
【００６８】
本例では、変更先のズーム画像を表示するときには、変更前のズーム領域を起点として一旦すべてのズーム領域のズーム画像を表示してから変更先のズーム画像を表示するように構成する。
【００６９】
本例でも、画面１９のズーム領域のデータを読み込み、加工して、ズーム画像を表示するステップ（図４のＳ８、図５のＳ１６あるいは図６のＳ２５）の前に、別のステップを追加する。この別ステップでは、変更指示されると、ズーム画像を一通り表示するようにする。つまり画面１１の位置を起点として時計方向に一周するようにして順次対応する画面のズーム画像を表示する。つまり、図１０に示す通り、画面１１を起点として時計周りに画面１２、画面１３、画面１６、画面１９、画面１８、画面１７、画面１４、画面１５の順に対応するズーム画像を一通りすべて表示してから最後に変更指示された画面（画面１９）のズーム画像を表示する。なお、時計周りに順次画像を表示する制御はＣＰＵ４で行い、ズーム画像についてはデータ加工部５で生成するようにすればよい。
【００７０】
なお、本例では、変更前の画面を起点として時計周りに順次ズーム画像を表示することとしたが、逆時計周りであってもよいことはいうまでもない。
【００７１】
本例によれば、一通りすべてのズーム画像を表示してから変更指示されたズーム画像を表示するので、使用者がいちいちすべてのズーム画像を表示させる操作をしなくても、次に表示させたいズーム画像を認識することができ、使い勝手が向上する。
【００７２】
【発明の効果】
以上、詳細に説明した如く、本発明の構成によれば、使用者の操作上の負担が少なく、見たい拡大表示部分の選択が簡単に行えるビデオ表示装置を提供することができる。
【図面の簡単な説明】
【図１】本発明の一実施の形態に係るＤＶＤプレーヤのブロック図である。
【図２】図１のＤＶＤプレーヤのリモコンの正面拡大図である。
【図３】図１のＤＶＤプレーヤにおけるズーム画面説明図である。
【図４】図１のＤＶＤプレーヤにおけるズーム動作の一実施形態のフロチャートである。
【図５】図１のＤＶＤプレーヤにおけるズーム動作の他の実施形態のフロチャートである。
【図６】図１のＤＶＤプレーヤにおけるズーム動作のさらに他の実施形態のフロチャートである。
【図７】従来のＤＶＤプレーヤにおけるズーム拡大機能説明図である。
【図８】変更指示される前の画面及び変更指示された画面とこれらを結ぶ画面との対応関係の一例を示す図である。
【図９】変更指示される前の画面及び変更指示された画面とこれらを結ぶ画面との対応関係の別の一例を示す図である。
【図１０】ズーム画像の変更に伴って順次表示するズーム画像を変更する際の変更の順番を示す概念図である。
【符号の説明】
Ｄ…ＤＶＤプレーヤ本体、Ｒ…リモコン、１…高密度光ディスク、２…ディスクモータ、３ａ…光ピツクアップ部、３ｂ…信号処理部、４…ＣＰＵ部、５…ビデオデータ加工部、６…ビデオエンコーダ部、７…コントローラキー、８…メモリ部、９…受信デバイス、１０…ＴＶ受像機。
【図１】
0003684340.tif 000002
【図２】
0003684340.tif 000003
【図３】
0003684340.tif 000004
【図４】
0003684340.tif 000005
【図５】
0003684340.tif 000006
【図６】
0003684340.tif 000007
【図７】
0003684340.tif 000008
【図８】
0003684340.tif 000009
【図９】
0003684340.tif 000010
【図１０】
0003684340.tif 000011